(57)【要約】【課題】  本発明の目的とするところは、聴覚的な方法でコンテンツ情報を提供するために、ＴＴＳ技術を用いてコンテンツデータをオーディオデータに変換し、変換されたオーディオデータをコンテンツ特性またはユーザ入力特性に応じて処理して出力するコンテンツ情報提供方法及びそれを適用した放送受信装置を提供することにある。【解決手段】  コンテンツ情報提供方法及びそれを適用した放送受信装置を提供する。本放送受信装置のコンテンツ情報提供方法は、ユーザ入力によって外部のコンテンツ提供サーバにコンテンツ検索を要求し、コンテンツ提供サーバからコンテンツ検索要求の応答として検索されたコンテンツに対するコンテンツデータを受信し、ＴＴＳ技術を用いて、コンテンツデータをオーディオデータに変換し、検索されたコンテンツ及びユーザ入力のうち少なくとも一方の特性に応じて、オーディオデータを処理して出力する。【選択図】      図５
2014021495.tif 000002
【特許請求の範囲】
【請求項１】
放送受信装置のコンテンツ情報提供方法において、
ユーザ入力によって外部のコンテンツ提供サーバにコンテンツ検索を要求するステップと、
前記コンテンツ提供サーバから前記コンテンツ検索要求の応答として検索されたコンテンツに対するコンテンツデータを受信するステップと、
ＴＴＳ（Ｔｅｘｔ−ｔｏ−Ｓｐｅｅｃｈ）技術を用いて、前記コンテンツデータをオーディオデータに変換するステップと、
前記検索されたコンテンツ及び前記ユーザ入力のうち少なくとも一方の特性に応じて、前記オーディオデータを処理して出力するステップと
を含むコンテンツ情報提供方法。
【請求項２】
前記変換するステップは、
前記コンテンツデータのメタデータをパーシングしてテキストデータを抽出するステップと、
前記ＴＴＳ技術を用いてテキストデータをオーディオデータに変換するステップと
を含むことを特徴とする請求項１に記載のコンテンツ情報提供方法。
【請求項３】
前記メタデータから前記コンテンツのジャンルを判断するステップを更に含み、
前記出力するステップは、
前記コンテンツのジャンルに対応するオーディオ設定で前記オーディオデータを処理して出力することを特徴とする請求項２に記載のコンテンツ情報提供方法。
【請求項４】
前記コンテンツデータを用いてコンテンツリストを生成して表示するステップを更に含み、
前記出力するステップは、
ユーザ操作によって前記コンテンツリストに含まれたコンテンツのいずれか一つが選択されると、前記選択されたコンテンツに対するコンテンツデータをオーディオデータで出力することを特徴とする請求項１に記載のコンテンツ情報提供方法。
【請求項５】
前記出力するステップは、
ユーザの操作によってコンテンツリストに含まれた全てのコンテンツに対するオーディオ再生命令が入力されると、前記コンテンツリストに含まれた全てのコンテンツのコンテンツデータをディスプレイ順にオーディオデータで出力することを特徴とする請求項４に記載のコンテンツ情報提供方法。
【請求項６】
前記ユーザ入力がユーザ音声入力である場合、
前記要求するステップは、
コンテンツ検索のためのユーザ音声を入力されるステップと、
前記入力されたユーザ音声をデジタル信号に変換するステップと、
前記変換されたデジタル信号を外部の音声認識サーバに伝送するステップと、
前記音声認識サーバから前記デジタル信号に対応するテキスト情報を受信するステップと、
前記テキスト情報を前記コンテンツ提供サーバに伝送するステップと
を含むことを特徴とする請求項１に記載のコンテンツ情報提供方法。
【請求項７】
前記ユーザ音声のイントネーションを分析するステップを更に含み、
前記出力するステップは、
前記分析されたユーザ音声のイントネーションに応じて異なる設定で前記オーディオデータを処理して出力することを特徴とする請求項６に記載のコンテンツ情報提供方法。
【請求項８】
前記コンテンツ情報は、
前記コンテンツのタイトル、ジャンル、再生時間、あらすじ、主演俳優、監督、製作会社及び提供可能言語のうち、少なくとも一つを含み、
前記オーディオデータで出力されるコンテンツ情報はユーザによって設定されることを特徴とする請求項１に記載のコンテンツ情報提供方法。
【請求項９】
放送受信装置において、
ユーザ命令を入力されるユーザ入力部と、
外部のサーバと通信を行う通信部と、
ＴＴＳ（Ｔｅｘｔ−ｔｏ−Ｓｐｅｅｃｈ）技術を用いて、テキストデータをオーディオデータに変換するＴＴＳ変換部と、
前記オーディオデータを出力するオーディオ出力部と、
前記ユーザ入力部に入力されたユーザ命令に応じて、外部のコンテンツ提供サーバにコンテンツ検索を要求し、前記コンテンツ提供サーバから前記コンテンツ検索要求の応答として検索されたコンテンツに対するコンテンツデータを受信するように前記通信部を制御し、前記コンテンツデータをオーディオデータに変換するように前記ＴＴＳ変換部を制御し、前記検索されたコンテンツ及び前記ユーザ入力のうち少なくとも一方の特性に応じて、前記オーディオデータを処理して出力するように前記オーディオ出力部を制御する制御部と
を含む放送受信装置。
【請求項１０】
前記制御部は、
前記コンテンツデータのメタデータをパーシングしてテキストデータを抽出し、前記抽出されたテキストデータをオーディオデータに変換するように前記ＴＴＳ変換部を制御することを特徴とする請求項９に記載の放送受信装置。
【請求項１１】
前記制御部は、
前記メタデータから前記コンテンツのジャンルを判断し、前記コンテンツのジャンルに対応するオーディオ設定で前記オーディオデータを処理して出力するように前記オーディオ出力部を制御することを特徴とする請求項１０に記載の放送受信装置。
【請求項１２】
ディスプレイ部を更に含み、
前記制御部は、
前記コンテンツデータを用いてコンテンツリストを生成して表示するように前記ディスプレイ部を制御し、前記ユーザ入力部に入力されたユーザ命令に応じて、前記コンテンツリストに含まれたコンテンツのいずれか一つが選択されると、前記選択されたコンテンツに対するコンテンツデータをオーディオデータで出力するように前記オーディオ出力部を制御することを特徴とする請求項９に記載の放送受信装置。
【請求項１３】
前記制御部は、
前記ユーザ入力部にコンテンツリストに含まれた全てのコンテンツに対するオーディオ再生命令が入力されると、前記コンテンツリストに含まれた全てのコンテンツのコンテンツデータをディスプレイ順にオーディオデータで出力するように前記オーディオ出力部を制御することを特徴とする請求項１２に記載の放送受信装置。
【請求項１４】
前記ユーザ入力部は、
ユーザ音声を入力される音声入力部を含み、
前記制御部は、
前記音声入力部を介してコンテンツ検索のためのユーザ音声が入力されると、前記入力されたユーザ音声をデジタル信号に変換し、前記通信部を制御して前記変換されたデジタル信号を外部の音声認識サーバに伝送し、前記音声認識サーバから前記デジタル信号に対応するテキスト情報を受信し、前記テキスト情報を前記コンテンツ提供サーバに伝送することを特徴とする請求項９に記載の放送受信装置。
【請求項１５】
前記制御部は、
前記ユーザ音声のイントネーションを分析し、前記分析されたユーザ音声のイントネーションに応じて異なる設定で前記オーディオデータを処理して出力するように前記オーディオ出力部を制御することを特徴とする請求項１４に記載の放送受信装置。
【発明の詳細な説明】
【技術分野】
【０００１】
本発明は、コンテンツ情報提供方法及びそれを適用した放送受信装置に関し、より詳細には、対話型音声認識システムでＴＴＳ（Ｔｅｘｔ−ｔｏ−Ｓｐｅｅｃｈ）技術を用いてコンテンツ情報を提供するコンテンツ情報提供方法及びそれを適用した放送受信装置に関する。
【背景技術】
【０００２】
通信技術が発達するにつれ、テレビのような放送受信装置は外部のサーバを通じて多様なコンテンツを受信し、受信されたコンテンツをディスプレイすることができる。
【０００３】
特に、放送受信装置を用いてコンテンツを実行する場合、ユーザは外部のコンテンツ提供サーバにコンテンツ検索を要求し、コンテンツ提供サーバはユーザのコンテンツ検索要求に対応して検索されたコンテンツデータを放送受信装置に伝送する。そして、放送受信装置は、コンテンツ提供サーバから伝送されたコンテンツデータを用いてコンテンツリストをディスプレイし、ユーザに検索されたコンテンツに対する情報を提供する。すなわち、従来は、写真やイメージ、テキストが含まれたコンテンツリストのような視覚的なＵＩ（Ｕｓｅｒ  Ｉｎｔｅｒｆａｃｅ）のみを用いてユーザにコンテンツ情報を提供していた。
【０００４】
しかし、視覚的なＵＩのみを用いてコンテンツ情報を提供する場合、ユーザが視覚的なＵＩを確認することができない状況が発生すると、ユーザは視覚的なＵＩを通じてコンテンツ情報をまともに確認することができなくなる問題点が存在していた。
【０００５】
よって、コンテンツリストのような視覚的なＵＩ以外の方法で、ユーザにコンテンツ情報を提供するための方策への模索が求められる。
【先行技術文献】
【特許文献】
【０００６】
【特許文献１】日本特開第２００３−３３０４９０号公報
【特許文献２】日本特開第２００８−２０４１９３号公報
【特許文献３】日本特開第２００９−０１８８８７６号公報
【特許文献４】韓国特開第２００９−０１１２８８２号公報
【発明の概要】
【発明が解決しようとする課題】
【０００７】
そこで、本発明は、上記問題に鑑みてなされたものであり、本発明の目的とするところは、聴覚的な方法でコンテンツ情報を提供するために、ＴＴＳ技術を用いてコンテンツデータをオーディオデータに変換し、変換されたオーディオデータをコンテンツ特性またはユーザ入力特性に応じて処理して出力するコンテンツ情報提供方法及びそれを適用した放送受信装置を提供することにある。
【課題を解決するための手段】
【０００８】
前記目的を達成するための本発明の一実施形態に係る放送受信装置のコンテンツ情報提供方法は、ユーザ入力によって外部のコンテンツ提供サーバにコンテンツ検索を要求するステップと、前記コンテンツ提供サーバから前記コンテンツ検索要求の応答として検索されたコンテンツに対するコンテンツデータを受信するステップと、ＴＴＳ（Ｔｅｘｔ−ｔｏ−Ｓｐｅｅｃｈ）技術を用いて、前記コンテンツデータをオーディオデータに変換するステップと、前記検索されたコンテンツ及び前記ユーザ入力のうち少なくとも一方の特性に応じて、前記オーディオデータを処理して出力するステップとを含む。
【０００９】
そして、前記変換するステップは、前記コンテンツデータのメタデータをパーシングしてテキストデータを抽出するステップと、前記ＴＴＳ技術を用いてテキストデータをオーディオデータに変換するステップとを含んでよい。
【００１０】
なお、前記メタデータから前記コンテンツのジャンルを判断するステップを更に含み、前記出力するステップは、前記コンテンツのジャンルに対応するオーディオ設定で前記オーディオデータを処理して出力してよい。
【００１１】
そして、前記コンテンツデータを用いてコンテンツリストを生成して表示するステップを更に含み、前記出力するステップは、ユーザ操作によって前記コンテンツリストに含まれたコンテンツのいずれか一つが選択されると、前記選択されたコンテンツに対するコンテンツデータをオーディオデータで出力してよい。
【００１２】
なお、前記出力するステップは、ユーザの操作によってコンテンツリストに含まれた全てのコンテンツに対するオーディオ再生命令が入力されると、前記コンテンツリストに含まれた全てのコンテンツのコンテンツデータをディスプレイ順にオーディオデータで出力してよい。
【００１３】
そして、前記ユーザ入力がユーザ音声入力である場合、前記要求するステップは、コンテンツ検索のためのユーザ音声を入力されるステップと、前記入力されたユーザ音声をデジタル信号に変換するステップと、前記変換されたデジタル信号を外部の音声認識サーバに伝送するステップと、前記音声認識サーバから前記デジタル信号に対応するテキスト情報を受信するステップと、前記テキスト情報を前記コンテンツ提供サーバに伝送するステップとを含んでよい。
【００１４】
なお、前記ユーザ音声のイントネーションを分析するステップを更に含み、前記出力するステップは、前記分析されたユーザ音声のイントネーションに応じて異なる設定で前記オーディオデータを処理して出力してよい。
【００１５】
そして、前記コンテンツ情報は、前記コンテンツのタイトル、ジャンル、再生時間、あらすじ、主演俳優、監督、製作会社及び提供可能言語のうち、少なくとも一つを含み、前記オーディオデータで出力されるコンテンツ情報はユーザによって設定されてよい。
【００１６】
一方、前記目的を達成するための本発明の一実施形態に係る放送受信装置は、ユーザ命令を入力されるユーザ入力部と、外部のサーバと通信を行う通信部と、ＴＴＳ（Ｔｅｘｔ−ｔｏ−Ｓｐｅｅｃｈ）技術を用いて、テキストデータをオーディオデータに変換するＴＴＳ変換部と、前記オーディオデータを出力するオーディオ出力部と、前記ユーザ入力部に入力されたユーザ命令に応じて、外部のコンテンツ提供サーバにコンテンツ検索を要求し、前記コンテンツ提供サーバから前記コンテンツ検索要求の応答として検索されたコンテンツに対するコンテンツデータを受信するように前記通信部を制御し、前記コンテンツデータをオーディオデータに変換するように前記ＴＴＳ変換部を制御し、前記検索されたコンテンツ及び前記ユーザ入力のうち少なくとも一方の特性に応じて、前記オーディオデータを処理して出力するように前記オーディオ出力部を制御する制御部とを含む。
【００１７】
そして、前記コンテンツデータのメタデータをパーシングしてテキストデータを抽出し、前記抽出されたテキストデータをオーディオデータに変換するように前記ＴＴＳ変換部を制御してよい。
【００１８】
なお、前記制御部は、前記メタデータから前記コンテンツのジャンルを判断し、前記コンテンツのジャンルに対応するオーディオ設定で前記オーディオデータを処理して出力するように前記オーディオ出力部を制御してよい。
【００１９】
そして、ディスプレイ部を更に含み、前記制御部は、前記コンテンツデータを用いてコンテンツリストを生成して表示するように前記ディスプレイ部を制御し、前記ユーザ入力部に入力されたユーザ命令に応じて、前記コンテンツリストに含まれたコンテンツのいずれか一つが選択されると、前記選択されたコンテンツに対するコンテンツデータをオーディオデータで出力するように前記オーディオ出力部を制御してよい。
【００２０】
なお、前記制御部は、前記ユーザ入力部にコンテンツリストに含まれた全てのコンテンツに対するオーディオ再生命令が入力されると、前記コンテンツリストに含まれた全てのコンテンツのコンテンツデータをディスプレイ順にオーディオデータで出力するように前記オーディオ出力部を制御してよい。
【００２１】
そして、前記ユーザ入力部は、ユーザ音声を入力される音声入力部を含み、前記制御部は、前記音声入力部を介してコンテンツ検索のためのユーザ音声が入力されると、前記入力されたユーザ音声をデジタル信号に変換し、前記通信部を制御して前記変換されたデジタル信号を外部の音声認識サーバに伝送し、前記音声認識サーバから前記デジタル信号に対応するテキスト情報を受信し、前記テキスト情報を前記コンテンツ提供サーバに伝送してよい。
【００２２】
なお、前記制御部は、前記ユーザ音声のイントネーションを分析し、前記分析されたユーザ音声のイントネーションに応じて異なる設定で前記オーディオデータを処理して出力するように前記オーディオ出力部を制御してよい。
【００２３】
そして、前記コンテンツ情報は、前記コンテンツのタイトル、ジャンル、再生時間、あらすじ、主演俳優、監督、製作会社及び提供可能言語のうち、少なくとも一つを含み、前記オーディオデータで出力されるコンテンツ情報はユーザによって設定されてよい。
【発明の効果】
【００２４】
以上説明したように、本発明によれば、ユーザは聴覚的な方法でコンテンツ情報を提供されることができ、コンテンツジャンル及びユーザの気分に応じて、異なる設定のオーディオデータを出力することで、放送受信装置のエンターテイメント的な要素を増大することができる。
【図面の簡単な説明】
【００２５】
【図１】本発明の一実施形態に係る対話型音声認識システムを示す図である。
【図２】本発明の一実施形態に係る放送受信装置の構成を示すブロック図である。
【図３】本発明の多様な実施形態に係るコンテンツリストを示す図である。
【図４】本発明の多様な実施形態に係るコンテンツリストを示す図である。
【図５】本発明の一実施形態に係るコンテンツ情報提供方法を説明するためのフローチャートである。
【発明を実施するための形態】
【００２６】
以下に添付図面を参照しながら、本発明の好適な実施形態について詳細に説明する。
【００２７】
図１は、本発明の一実施形態に係る対話型音声認識システム１０を示す図である。図１に示すように、対話型音声認識システム１０は、放送受信装置１００と、第１サーバ２００と、第２サーバ３００及びコンテンツ提供サーバ４００を含む。ここで、放送受信装置１００は、スマートテレビのような装置であってよいが、それは一実施形態に過ぎず、モニタやセットトップボックス等のような装置で実現されてよい。
【００２８】
音声入力装置によってユーザ音声が入力されると、放送受信装置１００は入力されたユーザの音声をデジタル信号に変換し、第１サーバ２００に伝送する。放送受信装置１００からデジタル信号が受信されると、第１サーバ２００は、言語モデル、音響モデルおよび発音辞書を用いて受信されたユーザ音声に対応するデジタル信号をテキスト情報に変換し、テキスト情報を放送受信装置１００に伝送する。
【００２９】
そして、放送受信装置１００は、第１サーバ２００から受信されたテキスト情報を第２サーバ３００に伝送する。放送受信装置１００からテキスト情報が受信されると、第２サーバ３００は受信されたテキスト情報に対応する応答情報を生成して放送受信装置１００に伝送する。このとき、応答情報には、ユーザ音声に対応する応答メッセージ、制御信号及びコンテンツ検索結果のうち、少なくとも一つを含んでよい。応答メッセージは、ユーザと対話するのと同様に、ユーザ音声に応答するテキスト情報である。例えば、ユーザ音声が“○○○を検索してくれる”の場合、応答メッセージは、“検索してあげる”というようなユーザ音声に応答するテキスト情報であってよい。制御信号は、ユーザ音声に対応する放送受信装置１００を制御するための信号である。例えば、ユーザ音声が“チャネルを○○○（チャネル名）に変えて”の場合、制御信号は放送受信装置１００のチューナがユーザ音声に対応するチャネルを選局するように制御する信号であってよい。コンテンツ検索結果は、ユーザのコンテンツ検索要求に応答する情報である。例えば、ユーザ音声が“○○○（映画タイトル）の主人公は誰”の場合、コンテンツ検索結果はユーザ音声に対応する映画の主人公検索結果情報である。
【００３０】
特に、第２サーバ３００は、受信されたテキスト情報がコンテンツ検索要求であるか否かを判断することができる。受信されたテキスト情報がコンテンツ検索要求である場合、第２サーバ３００は、コンテンツ提供サーバ４００からユーザのコンテンツ検索要求に対する応答として検索されたコンテンツに対するコンテンツデータを受信する。そして、第２サーバ３００は、応答情報としてコンテンツデータを放送受信装置１００に伝送することができる。
【００３１】
放送受信装置１００は、応答情報に基づいて、ユーザの音声に対応する多様な機能を実行することができる。例えば、放送受信装置１００は、チャネル変更のためのユーザの音声が入力されると、当該チャネルを選局してディスプレイすることができる。この場合、放送受信装置１００は、当該機能に対応する応答メッセージを同時に提供することもできる。上述の例の場合、放送受信装置１００は、変更されたチャネルに対する情報またはチャネル変更が完了していることを示すメッセージを音声またはテキスト形態で出力することができる。
【００３２】
特に、放送受信装置１００は、ユーザの音声に対応する応答メッセージを音声またはテキスト形態で出力することができ、検索されたコンテンツに対するコンテンツデータを出力することができる。例えば、“最新の公開映画を教えて”のようなコンテンツ情報を要求するユーザの音声が入力されると、放送受信装置１００は“最新の公開映画を教えてあげる”のような応答メッセージを第２サーバ３００からオーディオで出力し、検索された最新の公開映画に対するコンテンツデータをディスプレイすることができる。
【００３３】
特に、放送受信装置１００は、ユーザ要求によってＴＴＳアルゴリズムを用いて受信されたコンテンツデータをオーディオデータに変換して出力することができる。このとき、放送受信装置１００は、検索されたコンテンツ及びユーザ入力（例えば、ユーザ音声）のうち少なくとも一方の特性に応じて、オーディオデータを処理して出力することができる。例えば、放送受信装置１００は、検索されたコンテンツの種類に応じて異なる設定で、オーディオデータを処理して出力することができ、ユーザ音声のイントネーションに応じてオーディオデータを処理して出力することができる。
【００３４】
なお、放送受信装置１００が検索されたコンテンツに対するコンテンツデータを用いてコンテンツリストを生成した場合、放送受信装置１００はコンテンツリストにディスプレイされたコンテンツのコンテンツ情報をオーディオデータで出力することができる。
【００３５】
一方、上述の実施形態では、放送受信装置１００は、第２サーバ３００を介してコンテンツ提供サーバ４００と接続されているが、それは一実施形態に過ぎず、放送受信装置１００は直接コンテンツ提供サーバ４００と通信を行うことができる。
【００３６】
上述のような対話型音声認識システム１０によって、ユーザは聴覚的なＵＩを用いてコンテンツ情報を提供されることができる。なお、コンテンツ特定またはユーザ入力特性に応じてオーディオデータを処理することで、放送受信装置のエンターテイメント的な要素が増大することができる。
【００３７】
以下では、図２を参照して、本発明の一実施形態に係る放送受信装置１００について詳細に説明する。
【００３８】
図２に示すように、放送受信装置１００は、音声入力部１１０と、ＴＴＳ変換部１２０と、ユーザ入力部１３０と、保存部１４０と、通信部１５０と、オーディオ出力部１６０と、ディスプレイ部１７０及び制御部１８０を含む。
【００３９】
音声入力部１１０と、ユーザ音声を受信して音声認識ができるように信号処理を行う。具体的に、音声入力部１１０は、入力されたアナログ形態のユーザ音声をデジタル信号に変換する。そして、音声入力部１１０は、変換されたデジタル信号のエネルギーを計算し、デジタル信号のエネルギーが予め設定された値以上か否かを判断する。デジタル信号のエネルギーが予め設定された値未満である場合、音声入力部１１０は、入力されたデジタル信号がユーザ音声ではないと判断し、他のユーザ音声を待ち受ける。デジタル信号のエネルギーが予め設定された値以上である場合、音声入力部１１０は、入力されたデジタル信号からノイズを除去する。特に、音声入力部１１０は、入力されたデジタル信号から、家庭環境で発生し得る突発性雑音（例えば、エアコンの音、掃除機の音、音楽の音等）を除去する。そして、音声入力部１１０は、ノイズの除去されたデジタル信号を通信部１５０に出力する。
【００４０】
このとき、音声入力部１１０は、マイクのような音声入力装置で実現されてよく、音声入力装置は、放送受信装置１００に内蔵されて一体型をなすか、放送受信装置１００と分離された形態で実現されてよい。分離された形態で実現される場合、音声入力装置はユーザが手で握る形態、または食卓やテーブルに置ける形態で実現されてよく、放送受信装置１００と有線または無線ネットワークを通じて接続されてよい。
【００４１】
ＴＴＳ変換部１２０は、ＴＴＳ（Ｔｅｘｔ−ｔｏ−Ｓｐｅｅｃｈ）アルゴリズムを用いてテキストデータをオーディオデータに変換する。ＴＴＳアルゴリズムは、従来に予め公知された多様なＴＴＳアルゴリズムのいずれか一つを用いることができるため、詳細な説明は省略する。
【００４２】
特に、ＴＴＳ変換部１２０は、コンテンツ提供サーバ４００から受信されたコンテンツデータのメタデータから抽出されたテキストデータをオーディオデータに変換することができる。
【００４３】
ユーザ入力部１３０は、放送受信装置１００を制御するためのユーザ命令を受信する。特に、ユーザ入力部１３０は、コンテンツ検索のためのユーザ命令を受信することができる。一方、ユーザ入力部１３０は、リモコンやマウス、キーボードのような多様な入力装置で実現されてよい。
【００４４】
保存部１４０は、放送受信装置１００を駆動するための多様なプログラム及びデータを保存する。特に、ユーザ音声が入力された場合、保存部１４０はユーザ音声の特性が分析された結果を保存することができる。例えば、保存部１４０は、ユーザ音声の周波数を分析し、ユーザ音声のイントネーション、速度等に対する情報を保存することができる。
【００４５】
通信部１５０は、外部のサーバ２００、３００、４００と通信を行う。特に、通信部１５０は、音声入力部１１０から受信されたユーザ音声に対応するデジタル信号を第１サーバ２００に伝送することができ、第１サーバ２００からユーザ音声に対応するテキスト情報を受信することができる。なお、通信部１５０は、ユーザ音声に対応するテキスト情報を第２サーバ３００に伝送することができ、第２サーバ３００からテキスト情報に対応する応答情報を受信することができる。このとき、応答情報には、ユーザが検索を要求したコンテンツのコンテンツデータが含まれてよい。
【００４６】
そして、通信部１５０は、ＷｉＦｉ、ＩＥＥＥ等のような無線通信プロトコルによって外部ネットワークに接続されて通信を行う無線通信モジュールで実現されてよい。その他に、無線通信モジュールは３Ｇ（３ｒｄ  Ｇｅｎｅｒａｔｉｏｎ）、３ＧＰＰ（３ｒｄ
Ｇｅｎｅｒａｔｉｏｎ  Ｐａｒｔｎｅｒｓｈｉｐ  Ｐｒｏｊｅｃｔ）、ＬＴＥ（Ｌｏｎｇ  Ｔｅｒｍ  Ｅｖｏｌｕｔｉｏｎ）等のような多様な移動通信規格に応じて移動通信網に接続して通信を行う移動通信モジュールを更に含んでよい。
【００４７】
一方、上述の実施形態では、第１サーバ２００及び第２サーバ３００と通信を行う通信部が統合されているものとして説明したが、それは一実施形態に過ぎず、第１サーバ２００と通信を行うための第１通信部及び第２サーバ３００と通信を行うための第２通信部に分離されて実現されてよい。
【００４８】
オーディオ出力部１６０は、オーディオデータを出力する。このとき、オーディオ出力部１６０は、コンテンツデータが変換されたオーディオデータを出力することができる。このとき、オーディオ出力部１６０は、スピーカまたはジャック等のような出力ポートで実現されてよい。
【００４９】
ディスプレイ部１７０は、液晶表示装置（Ｌｉｑｕｉｄ  Ｃｒｙｓｔａｌ  Ｄｉｓｐｌａｙ：ＬＣＤ）、有機電気発光ダイオード（Ｏｒｇａｎｉｃ  Ｌｉｇｈｔ  Ｅｍｉｔｔｉｎｇ  Ｄｉｓｐｌａｙ：ＯＬＥＤ）またはプラズマ表示パネル（Ｐｌａｓｍａ  Ｄｉｓｐｌａｙ  Ｐａｎｅｌ：ＰＤＰ）等で実現され、放送受信装置１００を介して提供可能な多様なディスプレイ画面を提供することができる。特に、ディスプレイ部１７０は、ユーザの音声に対応する応答メッセージがテキストまたはイメージ形態でディスプレイすることができる。なお、ディスプレイ部１７０は、コンテンツ提供サーバ４００から受信されたコンテンツデータを用いて生成されたコンテンツリストを生成することができる。
【００５０】
制御部１８０は、音声入力部１１０及びユーザ入力部１２０を介して入力されたユーザ命令に応じて、放送受信装置１００の動作全般を制御する。特に、制御部１５０は、ユーザ入力によってコンテンツ提供サーバ４００にコンテンツ検索を要求し、コンテンツ提供サーバ４００からコンテンツ検索要求の応答として検索されたコンテンツに対するコンテンツデータを受信するように通信部１５０を制御する。そして、制御部１８０は、受信されたコンテンツデータをオーディオデータに変換するようにＴＴＳ変換部１２０を制御する。そして、制御部１８０は、検索されたコンテンツ及びユーザ入力のうち少なくとも一方の特性に応じて、オーディオデータを処理し、処理されたオーディオデータをオーディオ出力部１６０を介して出力する。
【００５１】
具体的に、制御部１８０は、音声入力部１１０及びユーザ入力部１２０を介して入力されたユーザ命令に応じて、コンテンツ検索を要求する。例えば、音声入力部１１０を通じて“最新の公開映画を教えて”のようなユーザ音声が入力されると、制御部１８０は、第１サーバ２００及び第２サーバ３００を用いて音声認識を行い、コンテンツ提供サーバ４００に最新の映画のコンテンツデータを要求することができる。または、ユーザ入力部１３０を介して“最新の映画検索”のユーザ命令が入力されると、制御部１８０は、コンテンツ提供サーバ４００に最新の映画のコンテンツデータを要求することができる。
【００５２】
そして、制御部１８０は、通信部１５０を介してコンテンツ提供サーバ４００からコンテンツ検索要求に対応するコンテンツデータを受信することができる。例えば、放送受信装置１００から最新の映画に対するコンテンツ検索要求が受信されると、コンテンツ提供サーバ４００は一定期間（例えば、２週間）以内に公開した映画に対するコンテンツデータを放送受信装置１００に伝送することができる。このとき、コンテンツデータは、コンテンツのタイトル、ジャンル、再生時間、あらすじ、主演俳優、監督、製作会社、提供可能言語のようなコンテンツ情報をメタデータに保存することができる。
【００５３】
コンテンツ提供サーバ４００からコンテンツデータが受信されると、制御部１８０は受信されたコンテンツデータのメタデータをパーシングしてコンテンツ情報に対応するテキストデータを抽出する。
【００５４】
そして、制御部１８０は、前記コンテンツ情報に対応するテキストデータを用いて、ディスプレイ部１７０に検索されたコンテンツに対するコンテンツ情報をディスプレイすることができる。
【００５５】
特に、ユーザ命令によってコンテンツ情報をオーディオデータで出力するためのユーザ命令が入力されると、制御部１８０はＴＴＳ技術を用いてコンテンツ情報に対応するテキストデータをオーディオデータに変換した後、オーディオデータを出力するようにオーディオ出力部１６０を制御することができる。例えば、“○○○（映画タイトル”に対するコンテンツ情報がディスプレイされた状態で、コンテンツ情報のオーディオ出力のためのユーザ命令（例えば、リモコンの特定ボタンを選択）が入力された場合、制御部１８０は“○○○”に対するコンテンツ情報（例えば、タイトル、ジャンル、再生時間、あらすじ、主演俳優、監督、製作会社、提供可能言語のいずれか一つ）をオーディオデータに変換した後、出力することができる。
【００５６】
出力されるコンテンツ情報は、ユーザによる設定によって変更されてよい。例えば、ユーザがコンテンツのタイトル、あらすじのみを設定した場合、制御部１８０はコンテンツのタイトル及びあらすじに対する情報のみをオーディオデータに変換した後、出力することができる。
【００５７】
このとき、制御部１８０は、コンテンツ及びユーザ入力のいずれか一方の特性に応じて、オーディオデータを処理することができる。
【００５８】
具体的に、制御部１８０は、コンテンツのジャンルに対応するオーディオ設定でオーディオデータを処理することができる。例えば、映像コンテンツのジャンルが“ホラー”である場合、制御部１８０は“ホラー映画”に対応するようにオーディオデータを陰気な声で処理することができる。または、映画コンテンツジャンルが“児童”の場合、制御部１８０は“児童映画”に対応するようにオーディオデータをこどもの声で処理することができる。
【００５９】
なお、制御部１８０は、ユーザ音声を分析し、ユーザ音声の特性に対応するようにオーディオデータを異なるように処理することができる。例えば、ユーザ音声の予め設定された速度より早く、イントネーションの変化が激しい場合、制御部１８０はユーザ音声を分析してユーザが興奮している状態であることを判断し、オーディオデータを落ち着いた人の声で処理することができる。
【００６０】
上述のように、コンテンツ及びユーザ入力の少なくともいずれか一方の特定に応じてオーディオデータを処理することで、放送受信装置１００のエンターテイメント的な要素が増加することができる。
【００６１】
なお、制御部１８０は、受信されたコンテンツデータを用いてコンテンツリストを生成することができる。例えば、制御部１８０は、図３に示すように、映画コンテンツリスト３００を生成することができる。
【００６２】
コンテンツリストに含まれた全てのコンテンツのコンテンツ情報に対するオーディオ再生命令が入力されると、制御部１８０はコンテンツリストに含まれた全てのコンテンツのコンテンツ情報をディスプレイ順にオーディオデータで出力することができる。例えば、図３に示すようなコンテンツリスト３００がディスプレイされた状態で、全てのコンテンツのコンテンツ情報に対するオーディオ再生命令が入力されると、制御部１８０はディスプレイ順に、ショーシャンクの空に、ハッピートゥゲザー、ヘルプ、覇王別姫…のコンテンツ情報をオーディオで出力することができる。このとき、制御部１８０は、図３に示すように、コンテンツ情報がオーディオで出力中であることを報知する報知メッセージ３１０が同時にディスプレイされてよい。
【００６３】
このとき、出力されるコンテンツ情報は、ユーザによる設定によって変更されてよい。例えば、ユーザがコンテンツのタイトル、あらすじのみを設定した場合、制御部１８０は、コンテンツのタイトル及びあらすじに対する情報のみをオーディオデータに変換した後、出力することができる。
【００６４】
そして、コンテンツリストに含まれたコンテントのいずれか一つが選択されると、制御部１８０は選択されたコンテンツに対するコンテンツ情報をディスプレイ部１７０にディスプレイし、オーディオデータで出力することができる。例えば、図３に示すようなコンテンツリスト３００がディスプレイされた状態で、ユーザ命令によって“ショーシャンクの空に”が選択されると、制御部１８０は選択された映画コンテンツである“ショーシャンクの空に”に対するコンテンツ情報を、図４に示すようにディスプレイし、コンテンツ情報をオーディオデータで出力することができる。
【００６５】
上述のような放送受信装置１００によって、ユーザはコンテンツ情報を聴覚的なＵＩを通じて提供されることができるようになる。
【００６６】
以下では、図５を参照して、本発明の一実施形態に係るコンテンツ情報提供方法について説明する。
【００６７】
まず、放送受信装置１００は、外部のコンテンツ提供サーバ４００にコンテンツ検索を要求する（Ｓ５１０）。このとき、放送受信装置１００はユーザの音声またはユーザ入力装置（例えば、キーボード、マウス、タッチパッド等）を用いてコンテンツ検索を要求することができる。
【００６８】
そして、放送受信装置１００は、コンテンツ提供サーバ４００から検索されたコンテンツに対するコンテンツデータを受信する（Ｓ５２０）。特に、コンテンツデータは、コンテンツのタイトル、ジャンル、再生時間、あらすじ、主演俳優、監督、製作会社及び提供可能言語のうち、少なくとも一つを含むコンテンツ情報をメタデータに保存することができる。
【００６９】
そして、放送受信装置１００は、ＴＴＳ技術を用いてコンテンツデータをオーディオデータに変換する（Ｓ５３０）。具体的に、放送受信装置１００は、受信されたコンテンツデータのメタデータをパーシングしてコンテンツ情報を含むテキストデータを抽出し、ＴＴＳ技術を用いてテキストデータをオーディオデータに変換することができる。
【００７０】
そして、放送受信装置１００は、検索されたコンテンツ及びユーザ入力のいずれか一方の特性に応じて、オーディオデータを処理して出力する（Ｓ５４０）。具体的に、放送受信装置１００は、コンテンツのジャンルに対応するオーディオ設定でオーディオデータを処理することができる。例えば、映像コンテンツのジャンルが“ホラー”である場合、放送受信装置１００は“ホラー映画”に対応するようにオーディオデータを陰気な声で処理することができる。または、映画コンテンツジャンルが“児童”の場合、放送受信装置１００は“児童映画”に対応するようにオーディオデータをこどもの声で処理することができる。なお、放送受信装置１００はユーザ音声を分析し、ユーザ音声の特性に対応するようにオーディオデータを異なるように処理することができる。例えば、ユーザ音声の予め設定された速度より早く、イントネーションの変化が激しい場合、放送受信装置１００はユーザ音声を分析して、ユーザが興奮している状態であることを判断し、オーディオデータを落ち着いた人の声で処理することができる。
【００７１】
上述のようなコンテンツ提供方法により、ユーザは聴覚的な方法でコンテンツ情報を提供されることができ、コンテンツジャンル及びユーザの気分に応じて異なる設定のオーディオデータを出力することで、放送受信装置１００のエンターテイメント的な要素が増大することができる。
【００７２】
以上のような多様な実施形態に係る外部入力制御方法を実行するためのプログラムコードは、非一時的読み取り可能媒体（ｎｏｎ−ｔｒａｎｓｉｔｏｒｙ  ｃｏｍｐｕｔｅｒ  ｒｅａｄａｂｌｅ  ｍｅｄｉｕｍ）に保存されてよい。非一時的読み取り可能媒体とは、レジスタ、キャッシュ、メモリ等のように短い瞬間の間にデータを保存する媒体でなく半永久的にデータを保存し、機器により読み取り（ｒｅａｄｉｎｇ）可能な媒体を意味する。具体的には、上述した多様なアプリケーションまたはプログラムは、ＣＤ、ＤＶＤ、ハードディスク、ブルーレイディスク、ＵＳＢ、メモリーカード、ＲＯＭ等のような非一時的読み取り可能媒体に保存されて提供されることができる。
【００７３】
以上、添付図面を参照しながら本発明の好適な実施形態について詳細に説明したが、本発明は以上の実施形態に限定されない。本発明の属する技術の分野における通常の知識を有する者であれば、特許請求の範囲に記載された技術的趣旨の範疇内において、各種の変更例または修正例に想到し得ることは明らかであり、これらについても、当然に本発明の技術的範囲に属するものと了解される。
【符号の説明】
【００７４】
１０    対話型音声認識システム
１００  放送受信装置
１１０  音声入力部
１２０  ＴＴＳ変換部
１３０  ユーザ入力部
１４０  保存部
１５０  通信部
１６０  オーディオ出力部
１７０  ディスプレイ部
１８０  制御部
２００  第１サーバ
３００  第２サーバ
３１０  報知メッセージ
４００  コンテンツ提供サーバ
【図１】
2014021495.tif 000003
【図２】
2014021495.tif 000004
【図３】
2014021495.tif 000005
【図４】
2014021495.tif 000006
【図５】
2014021495.tif 000007